(57)【特許請求の範囲】
【請求項１】
デジタルテレビ放送のトランスポンダを受信する第１および第２のフロントエンド回路と、
これら第１および第２のフロントエンド回路の受信した上記トランスポンダに含まれるデータを蓄積するメモリ回路と、
このメモリ回路に蓄積された上記データにしたがって所定の画像として表示される画像信号を形成する回路と、
上記第１および第２のフロントエンド回路の受信するトランスポンダを制御する制御回路と
を有し、
この制御回路は、上記トランスポンダごとにセットあるいはリセットされる予測子を有し、
上記制御回路の制御は、
上記トランスポンダを周波数が高い方向の次のトランスポンダに変更するスクロール操作が行われたときには、上記予測子のうち、上記画像の表示に使用されているトランスポンダの次のトランスポンダの予測子をセットするとともに、他の予測子をリセットし、
上記トランスポンダを周波数が低い方向の前のトランスポンダに変更するスクロール操作が行われたときには、上記予測子のうち、上記画像の表示に使用されているトランスポンダの前のトランスポンダの予測子をセットするとともに、他の予測子をリセットし、
上記第１のフロントエンド回路により受信されて上記メモリ回路に蓄積されたトランスポンダのデータを使用して所定の画像を表示している期間には、上記第２のフロントエンド回路が、上記セットされている予測子のトランスポンダを受信して上記画像の表示に次に必要になるであろうデータを上記メモリ回路に蓄積し、
上記第２のフロントエンド回路により受信されて上記メモリ回路に蓄積されたトランスポンダのデータを使用して所定の画像を表示している期間には、上記第１のフロントエンド回路が、上記セットされている予測子のトランスポンダを受信して上記画像の表示に次に必要になるであろうデータを上記メモリ回路に蓄積する制御である
ようにした受信装置。
【請求項２】
請求項１に記載の受信装置において、
上記データがＥＰＧのデータであり、
上記画像が上記ＥＰＧのデータに基づく番組表であり、
上記画像信号を形成する回路がＯＳＤ回路である
ようにした受信装置。
【請求項３】
請求項１に記載の受信装置において、
上記データが動画のデータであり、
上記画像が上記動画のデータに基づく縮小された動画の画像であり、
上記画像信号を形成する回路がＭＰＥＧデコーダ回路である
ようにした受信装置。
【請求項４】
請求項３に記載の受信装置において、
視聴者により上記予測子に優先度を設定できる
ようにした受信装置。
【請求項５】
デジタルテレビ放送のトランスポンダを第１および第２のフロントエンド回路により受信する受信ステップと、
この受信ステップにより受信した上記トランスポンダに含まれるデータをメモリ回路に蓄積する蓄積ステップと、
上記メモリ回路に蓄積された上記データにしたがって所定の画像として表示される画像信号を形成する画像信号形成ステップと、
上記第１および第２のフロントエンド回路の受信するトランスポンダを制御する制御ステップと、
上記トランスポンダごとに予測子をセットあるいはリセットする設定ステップと
を有し、
上記制御ステップの制御が、
上記トランスポンダを周波数が高い方向の次のトランスポンダに変更するスクロール操作が行われたときには、上記予測子のうち、上記画像の表示に使用されているトランスポンダの次のトランスポンダの予測子をセットするとともに、他の予測子をリセットし、
上記トランスポンダを周波数が低い方向の前のトランスポンダに変更するスクロール操作が行われたときには、上記予測子のうち、上記画像の表示に使用されているトランスポンダの前のトランスポンダの予測子をセットするとともに、他の予測子をリセットし、
上記第１のフロントエンド回路により受信されて上記メモリ回路に蓄積されたトランスポンダのデータを使用して所定の画像を表示している期間には、上記第２のフロントエンド回路が、上記セットされている予測子のトランスポンダを受信して上記画像の表示に次に必要になるであろうデータを上記メモリ回路に蓄積し、
上記第２のフロントエンド回路により受信されて上記メモリ回路に蓄積されたトランスポンダのデータを使用して所定の画像を表示している期間には、上記第１のフロントエンド回路が、上記セットされている予測子のトランスポンダを受信して上記画像の表示に次に必要になるであろうデータを上記メモリ回路に蓄積する制御である
ようにした受信方法。
【発明の詳細な説明】
【０００１】
【発明の属する技術分野】
この発明は、デジタル衛星放送やデジタル地上波放送などのデジタルテレビ放送の受信装置に関する。
【０００２】
【従来の技術】
デジタルテレビ放送においては、図６に示すように、そのデジタルテレビ放送のための周波数帯が、複数のトランスポンダと呼ばれる帯域に分割され、そのトランスポンダのそれぞれにおいて、複数のテレビ番組、動画、音声、各種のデータなど、多種多様なデジタル情報が多重化されて放送されている。
【０００３】
そして、デジタルテレビ放送においては、１つのトランスポンダで複数のチャンネル（テレビ番組）が放送されるので、あるチャンネルの画面の中に、同じトランスポンダ内の別のチャンネルの縮小画面を表示する、いわゆるピクチャインピクチャを行うこともできる。あるいは、受信装置にＨＤＤなどのデジタル記録装置を用意すれば、あるチャンネルのテレビ番組を見ながら、同じトランスポンダ内の別のチャンネルのテレビ番組を録画することもできる。
【０００４】
また、１つのトランスポンダにより標準方式で番組を放送する場合には、最大で６チャンネル（サービス）まで放送でき、高品位方式で番組を放送する場合には、最大で２チャンネルまで放送できる。このため、トランスポンダがテレビ番組を放送する場合には、同時にＥＰＧ（電子番組表）のデータも放送される。そして、デジタルテレビ放送の受信装置においては、放送されてきたＥＰＧのデータを使って番組表を表示するとともに、その番組表から希望する番組を選択できるようにされている。
【０００５】
したがって、デジタルテレビ放送およびその受信装置によれば、アナログテレビ放送と比べ、視聴者（ユーザ）は多数のチャンネルを楽しむことができる。
【０００６】
【発明が解決しようとする課題】
ところで、ＥＰＧのデータを使って番組表を表示すると、例えば図７Ａのように、横軸が時刻で、縦軸がチャンネルの番組表が表示される。そして、視聴者が時刻方向のスクロールを指示すると、この番組表は横方向にスクロールされ、図に表示されていない時刻についても番組を知ることができ、チャンネル方向のスクロールを指示すると、この番組表は縦方向にスクロールされ、図に表示されていないチャンネルについても番組を知ることができる。
【０００７】
ところが、図６にも示すように、あるトランスポンダｎでテレビ番組を放送している場合、そのトランスポンダｎで放送しているＥＰＧは、そのトランスポンダｎで放送している番組については、詳細な情報を有するが、他のトランスポンダで放送してい番組については、簡単な情報を有するだけである。
【０００８】
このため、受信装置があるトランスポンダｎを受信している場合に番組表を表示させると、例えば図７Ａに示すように、そのトランスポンダｎについては、チャンネルごとに、番組名と放送時刻とが詳細に表示されるが、隣のトランスポンダ（ｎ＋１）については、現在放送中の番組の番組名が表示される程度であり、その番組に続いて放送される番組については、何も表示されない。
【０００９】
そして、受信しているトランスポンダを、トランスポンダｎからトランスポンダ（ｎ＋１）に切り換えると、図７Ｂに示すように、そのトランスポンダ（ｎ＋１）については、チャンネルごとに、番組名と放送時刻とが詳細に表示される。なお、このとき、さらに隣りのトランスポンダ（ｎ＋２）については、やはり現在放送中の番組の番組名が表示される程度であり、その番組に続いて放送される番組については、何も表示されない。
【００１０】
そして、受信するトランスポンダの切り換えをフロントエンド回路に指示してから、実際にトランスポンダが切り換わり、その後、ＥＧＰのデータが安定に得られるようになるまでには、１秒弱の時間を必要とする。
【００１１】
このため、番組表をスクロール表示させる場合、そのスクロールがトランスポンダをまたぐとき、スクロールが一時的に停止することになるので、スクロールがぎくしゃくしてしまい、視聴者にストレスを与えたり、操作性が悪いと感じさせたりしてしまう。
【００１２】
また、例えば図８に示すように、ピクチャインピクチャの機能を利用することにより３つの連続するチャンネルの縮小画面を、動画の状態で同時に表示するとともに、視聴者の指示にしたがってその縮小画面となるチャンネルを順に切り換えていけば（以下、このような表示を「チャンネルスクロール表示」と呼ぶ）、視聴者は番組内容を実際に見ながらチャンネルを選択することができるが、このチャンネルスクロール表示の場合も、表示されるチャンネルがトランスポンダをまたぐときに、チャンネルの切り換えが一時的に停止するので、やはり視聴者に操作性が悪いと感じさせたり、ストレスを与えたりしてしまう。
【００１３】
この発明は、以上のような点にかんがみ、番組表をチャンネル方向にスクロール表示させたり、チャンネルスクロール表示を行ったりするときに、表示内容がトランスポンダをまたぐようになっても、そのスクロールが停止しないようにするものである。
【００１４】
【課題を解決するための手段】
この発明においては、
デジタルテレビ放送のトランスポンダを受信する第１および第２のフロントエンド回路と、
これら第１および第２のフロントエンド回路の受信した上記トランスポンダに含まれるデータを蓄積するメモリ回路と、
このメモリ回路に蓄積された上記データにしたがって所定の画像として表示される画像信号を形成する回路と、
上記第１および第２のフロントエンド回路の受信するトランスポンダを制御する制御回路と
を有し、
この制御回路は、上記トランスポンダごとにセットあるいはリセットされる予測子を有し、
上記制御回路の制御は、
上記トランスポンダを周波数が高い方向の次のトランスポンダに変更するスクロール操作が行われたときには、上記予測子のうち、上記画像の表示に使用されているトランスポンダの次のトランスポンダの予測子をセットするとともに、他の予測子をリセットし、
上記トランスポンダを周波数が低い方向の前のトランスポンダに変更するスクロール操作が行われたときには、上記予測子のうち、上記画像の表示に使用されているトランスポンダの前のトランスポンダの予測子をセットするとともに、他の予測子をリセットし、
上記第１のフロントエンド回路により受信されて上記メモリ回路に蓄積されたトランスポンダのデータを使用して所定の画像を表示している期間には、上記第２のフロントエンド回路が、上記セットされている予測子のトランスポンダを受信して上記画像の表示に次に必要になるであろうデータを上記メモリ回路に蓄積し、
上記第２のフロントエンド回路により受信されて上記メモリ回路に蓄積されたトランスポンダのデータを使用して所定の画像を表示している期間には、上記第１のフロントエンド回路が、上記セットされている予測子のトランスポンダを受信して上記画像の表示に次に必要になるであろうデータを上記メモリ回路に蓄積する制御である
ようにした受信装置
とするものである。
【００１５】
【発明の実施の形態】
図１は、この発明による受信装置をセットトップボックス形式に構成した場合の一形態を示す。すなわち、アンテナ１０によりデジタルテレビ放送が受信されるとともに、中間周波信号にダウンコンバートされ、この中間周波信号が受信装置２０の第１および第２のフロントエンド回路（チューナ回路）２１、２２に供給される。このフロントエンド回路２１、２２においては、これに供給された中間周波信号に局部発振信号が乗算されて中間周波信号はベースバンド信号に変換される。さらに、フロントエンド回路２１、２２において、ベースバンド信号を同期引き込みして復調および誤り訂正などの処理が行われ、フロントエンド回路２１、２２からはトランスポートストリームが出力される。
【００１６】
そして、このトランスポートストリームが、188バイトの固定長を基本単位としてデマックス回路２３に供給され、パケットＩＤにしたがって画像データ、音声データ、データ放送用データ、およびそれらに付随する各種の情報データに分類され、この分類されたデータが一時記憶用の記憶回路、例えばメモリ回路２４にいったん格納される。なお、デマックス回路２３には、番組の蓄積用のデバイスとして例えばＨＤＤ２５が接続され、視聴者の操作にしたがって後述するように制御される。また、メモリ回路２４に蓄積されたデータは、新しいデータが受信されたときには、更新されていく。
【００１７】
そして、メモリ回路２４に格納されたデータのうち、画像データおよび音声データが、デマックス回路２３を通じてＭＰＥＧデコーダ回路２６に供給されてもとのデジタル画像データおよびデジタル音声データに復号処理され、そのデジタル画像データがＯＳＤ回路２７に供給される。この場合、ＭＰＥＧデコーダ回路２６は、縮小画面用として動画の画像データを３チャンネル分まで同時にデコードできるものとする。また、ＯＳＤ回路２７は、後述するシステム制御回路３１により制御され、各種の文字やグラフィックッスを表示するためのデジタル画像データ、例えば番組表として表示されるデジタル画像データを形成し、この画像データをＭＰＥＧデコーダ回路２６からのデジタル画像データに合成するためのものである。
【００１８】
そして、ＯＳＤ回路２７からのデジタル画像データが例えばＮＴＳＣエンコーダ回路２８に供給されてＮＴＳＣ方式のデジタル映像信号にエンコードされ、このデジタル映像信号と、ＭＰＥＧデコーダ回路２６からのデジタル音声データとがＤ／Ａコンバータ回路２９Ｖ、２９Ｓに供給されてアナログの映像信号および音声信号にＤ／Ａ変換され、これら信号が例えばテレビ受像機４０に供給されて画像および音声として出力される。
【００１９】
また、メモリ回路２４に格納されたデータのうち、データ放送用データおよび付随する情報データが、システム制御回路３１により解析されてデータ放送用のテキストとして使用され、あるいはデマックス回路２３におけるパケット分離の情報として使用される。
【００２０】
そして、システム制御回路３１はマイクロコンピュータなどにより構成されるとともに、そのマイクロコンピュータにはリアルタイムＯＳが搭載される。そして、このシステム制御回路３１によりＯＳＤ回路２７が制御されて上述のように表示用の画像データの形成および合成が行われる。なお、テレビ受像機４０に番組表として表示される画像データは、このＯＳＤ回路２７において、受信したＥＰＧのデータに基づいて形成される。
【００２１】
また、視聴者がリモコン（遠隔操作）の送信機５０を操作したとき、その送信機５０から出力されるリモコン信号、例えば赤外線光がフォトセンサ３２により受光され、その出力信号が受信回路３３により処理されてからシステム制御回路３１に供給される。すると、システム制御回路３１を構成するマイクロコンピュータには割り込みがかかり、その送信機５０の操作に対応した処理が実行される。
【００２２】
そして、フロントエンド回路２１、２２、デマックス回路２３およびＨＤＤ２５が、システム制御回路３１により制御され、この制御により、フロントエンド回路２１、２２の受信するトランスポンダの切り換え、およびメモリ２４からＭＰＥＧデコーダ回路２６に供給される画像データおよび音声データの選択が行われる。
【００２３】
また、ＨＤＤ２５の書き込みおよび読み出しも、システム制御回路３１により制御され、フロントエンド回路２１、２２が受信しているトランスポンダのうちの所定のチャンネルの画像データおよび音声データがＨＤＤ２５に書き込まれ、あるいはＨＤＤ２５に書き込まれた画像データおよび音声データが読み出されるとともに、ＭＰＥＧデコーダ回路２６に供給される。
【００２４】
したがって、フロントエンド回路２１、２２により、それぞれ任意のトランスポンダの任意の番組を受信でき、その番組をテレビ受像機４０により視聴することができる。また、そのとき、任意の番組について、ピクチャインピクチャを行うこともできる。さらに、視聴中の番組や裏番組をＨＤＤ２５に録画し、その録画した番組を視聴することもできる。
【００２５】
そして、特にこの発明においては、システム制御回路３１を構成するマイクロコンピュータに、これが実行するソフトウェアの一部として、例えば図２に示すルーチン１００が用意される。このルーチン１００は、図２においては、この発明に関係する部分だけを抜粋して示しているが、番組表の表示（およびチャンネルスクロール表示）を制御するためのものである。
【００２６】
すなわち、このルーチン１００は、フロントエンド回路２１、２２の受信するトランスポンダを交互に切り換えることにより、例えば図３に示すように、表示された番組表をチャンネル方向（縦軸の方向）にスクロールさせる場合、番組表がトランスポンダをまたぐときでも、表示が一時的に停止することがなく、滑らかにスクロールされていくようにするものである。
【００２７】
ここで、視聴者がトランスポンダｎで放送されているチャンネルの番組を見ているものとする。そして、このとき、トランスポンダｎはフロントエンド回路２１が受信しているとともに、フロントエンド回路２２は次のトランスポンダ（ｎ＋１）を受信しているものとする。なお、トランスポンダｎ、（ｎ＋１）が受信されているので、このとき、メモリ回路２４には、トランスポンダｎ、（ｎ＋１）で放送されているチャンネルについてのＥＰＧのデータが蓄積されていることになる。
【００２８】
そして、このような状態にあるとき、視聴者がリモコンの送信機５０により番組表の表示を指示すると、システム制御回路３１において、ルーチン１００の処理がステップ１０１からスタートし、次にステップ１０２において、ＯＳＤ回路２７によりメモリ回路２４に格納されているＥＰＧのデータを使用して現在受信中のトランスポンダｎ、（ｎ＋１）の番組表の画像データが形成され、この画像データがＮＴＳＣエンコーダ回路２８に供給される。
【００２９】
したがって、テレビ受像機４０には、例えば図３Ａに示すように、現在受信中のトランスポンダｎに含まれる第123チャンネル〜第129チャンネルの番組表が表示されるとともに、次のトランスポンダ（ｎ＋１）に含まれる第129チャンネルの番組表も一体に続いて表示される。また、図示はしないが、この番組表のうち、それまで受信していたチャンネルの行には、カーソルが表示される。
【００３０】
続いて、処理はステップ１１１に進み、このステップ１１１において、リモコンの送信機５０の操作キーの入力待ちとなり、操作キーが押されると、処理はステップ１１２に進み、このステップ１１２において、ステップ１１１で入力されたキーがチャンネル方向のスクロールキーであるかどうかが判別され、チャンネル方向のスクロールキーのときには、処理はステップ１１２からステップ１１３に進み、トランスポンダの予測子が立てられる。
【００３１】
この予測子は、トランスポンダごとに用意されるものであり、ステップ１１１により押されたスクロールキーがチャンネル数字を大きくする方向のキーのときには（番組表に表示されているカーソルを図３Ａにおける下方向に移動させるためのキー操作のときには）、トランスポンダ（ｎ＋１）の予測子が“１”にセットされ、他のトランスポンダの予測子は“０”にリセットされる。逆に、ステップ１１１により押されたスクロールキーがチャンネル数字を小さくする方向のキーのときには（番組表に表示されているカーソルを図３Ａにおける上方向に移動させるためのキー操作のときには）、トランスポンダ（ｎ−１）の予測子が“１”にセットされ、他のトランスポンダの予測子は“０”にリセットされる。
【００３２】
つまり、ステップ１１１により押されたスクロールキーがチャンネル数字を大きくする方向のキーのときには、そのときまで番組の表示に使用されていたトランスポンダ（今の場合はトランスポンダｎ）の次のトランスポンダ（今の場合トランスポンダ（ｎ＋１））の予測子が“１”にセットされ、他のトランスポンダの予測子は“０”にリセットされ、逆に、ステップ１１１により押されたスクロールキーがチャンネル数字を小さくする方向のキーのときには、そのときまで番組に使用されていたトランスポンダの前のトランスポンダ（今の場合トランスポンダ（ｎ−１））の予測子が“１”にセットされ、他のトランスポンダの予測子は“０”にリセットされる。
【００３３】
続いて処理はステップ１１４に進み、このステップ１１４において、ステップ１１３によりセットされた予測子に対応するトランスポンダのＥＰＧのデータが受信済みであって、メモリ回路２４に蓄積されているかどうかが判別される。今の場合、該当するトランスポンダはトランスポンダ（ｎ＋１）であり、そのＥＰＧのデータはメモリ回路２４に蓄積されているので、処理はステップ１１４からステップ１２１に進み、このステップ１２１において、番組表に表示されているカーソルが１チャンネル分だけチャンネル方向に移動させられ、あるいはカーソルが番組表の最下行または最上行に表示されているときには、番組表がチャンネル数字が大きくなる方向または小さくなる方向に１チャンネル分だけスクロールされる。図２Ｂは、番組表がチャンネル数字が大きくなる方向に１チャンネル分だけスクロールされた場合である。
【００３４】
そして、処理はステップ１２１に続いてステップ１２２に進み、このステップ１２２において、フロントエンド回路２１、２２のうち、トランスポンダを受信する必要のないフロントエンド回路が待機中（フロントエンド回路の出力を有効に使用しない状態）とされ、その後、ステップ１１１に戻る。
【００３５】
したがって、リモコンの送信機５０のチャンネル方向のスクロールキーを押すと、メモリ回路２４に番組表の表示に必要なデータが蓄積されているトランスポンダのチャンネルについては、チャンネル方向のスクロールキーの操作に対応して、カーソルが移動し、さらに番組表はチャンネル数字が大きくなる方向に、あるいは小さくなる方向にスクロールされていく。
【００３６】
一方、ステップ１１４において、ステップ１１３によりセットされた予測子に対応するトランスポンダのＥＰＧのデータがメモリ回路２４に蓄積されていない場合には、処理はステップ１１４からステップ１３１に進み、このステップ１３１において、フロントエンド回路２１が待機中かどうかが判別される。そして、フロントエンド回路２１が待機中のときには、処理はステップ１３１からステップ１３２に進み、このステップ１３２において、ステップ１１３により予測子のセットされたトランスポンダがフロントエンド回路２１により選局される。
【００３７】
続いて、ステップ１３３において、フロントエンド回路２１が選局したトランスポンダからＥＰＧのデータが取り出されてメモリ回路２４に蓄積され、その後、処理はステップ１２２を通じてステップ１１１に戻る。
【００３８】
また、ステップ１３１において、フロントエンド回路２１が待機中ではないとき、すなわち、各種の必要なデータの受信中のときには、処理はステップ１３１からステップ１４１に進み、このステップ１４１において、フロントエンド回路２２が待機中かどうかが判別される。そして、フロントエンド回路２２が待機中のときには、処理はステップ１４１からステップ１４２に進み、このステップ１４２において、ステップ１１３により予測子のセットされたトランスポンダがフロントエンド回路２２により選局される。
【００３９】
続いて、ステップ１４３において、フロントエンド回路２２が選局したトランスポンダからＥＰＧのデータが取り出されてメモリ回路２４に蓄積され、その後、処理はステップ１２２を通じてステップ１１１に戻る。なお、ステップ１４１において、フロントエンド回路２２が待機中ではないとき、すなわち、各種の必要なデータの受信中のときには、処理はステップ１４１からステップ１２２を通じてステップ１１１に戻る。
【００４０】
したがって、ステップ１３１〜１３３、１４１〜１４３によれば、チャンネル方向のスクロールを行う場合、フロントエンド回路２１、２２のうち、トランスポンダの受信に使用されていないフロントエンド回路があれば、そのフロントエンド回路により、番組表の表示のために次に必要になるであろうトランスポンダが選局されてそのＥＰＧのデータがメモリ回路２４に蓄積されていく。そして、メモリ回路２４に表示に必要なＥＰＧのデータが蓄積されていれば、ステップ１２１によりそのＥＰＧのデータに対応する番組表が表示される。
【００４１】
つまり、
▲１▼  フロントエンド回路２１の受信したトランスポンダのデータを使用して番組表を表示している期間には、フロントエンド回路２２が隣りのトランスポンダを受信して次に必要になる番組表の続き部分のデータをメモリ回路２４に蓄積していく。
▲２▼  フロントエンド回路２２の受信したトランスポンダのデータを使用して番組表を表示している期間には、フロントエンド回路２１が隣りのトランスポンダを受信して次に必要になる番組表の続き部分のデータをメモリ回路２４に蓄積していく。
という動作が交互に繰り返されて番組表がスクロール表示される。
【００４２】
なお、ステップ１１１において、決定キーが操作されたときには、処理はステップ１１１からステップ１１２を通じてルーチン１００を終了し、番組表のうち、カーソルが位置していたチャンネルが選択される。あるいは処理がステップ１１１に移ってから例えば３秒間、キー入力がないときには、処理はステップ１１１からステップ１１２を通じてルーチン１００を終了し、もとのチャンネルの表示画面への復帰が行われる。
【００４３】
したがって、番組表がスクロール表示されていって２つのトランスポンダにまたがるようになるとき、その表示に必要なデータはすでにメモリ回路２４に蓄積されているので、番組表は滑らかにスクロールされることになり、ぎくしゃくすることがなく、したがって、視聴者にストレスを与えたり、操作性が悪いと感じさせたりすることがない。
【００４４】
さらに、送信機５０によりチャンネル方向のスクロールの指示をしたとき、そのスクロールの指示と、テレビ受像機４０の画面における実際のスクロールの速度とのギャップが小さくなるので、より直感的にわかりやすいユーザーインターフェイスを提供することができる。
【００４５】
また、裏番組の録画やピクチャインピクチャなどを行うことのできる受信装置であれば、もともと２つのフロントエンド回路２１、２２が設けられているので、ソフトウェアを変更するだけで、番組表のチャンネル方向のスクロール表示を滑らかに行うことができる。
【００４６】
なお、上述において、チャンネルスクール表示をする場合には、ステップ１２１により、例えば図８に示すように、チャンネル数字の連続する３つのチャンネルの動画の縮小画面を同時に表示するとともに、ステップ１３３、１４３により必要な画像データをメモリ回路２４に蓄積すれば、チャンネルスクロール表示により表示される縮小画面が２つのトランスポンダにまたがるようになるときでも、そのチャンネルスクロール表示が一時停止することがない。しかも、そのとき、縮小画面は動画とすることができる。また、例えば図４Ａに示すように、各チャンネルの縮小画面を連続的に移動させてチャンネルスクロール表示を行うこともできる。
【００４７】
さらに、例えば図５に示すように、視聴者が番組を趣向に合わせてジャンル分けするとともに、そのジャンルに優先度をつけて表示し、そのジャンルを選択したとき、そのジャンルに含まれている番組を一覧表示することもでき、その場合には、各チャンネルをジャンル別に並び替えるとともに、さらにトランスポンダごとに並び替え、このとき、ジャンル情報に優先度の重みをつけた予測子を用意し、次に受信することになるであろうトランスポンダを空いているフロントエンド回路であらかじ受信すればよい。そして、そのようにすれば、視聴者が次のチャンネルに切り換えるときの待ち時間を短縮することができる。
【００４８】
また、データ放送のようなカルーセル方式の放送の場合には、受信を始めてから表示するためのデータのすべてが収集されるまでに時間がかかるが、このような場合には、一方のフロントエンド回路２１を通常の選局に使用し、他方のフロントエンド回路２２により目的とするデータ放送のあるトランスポンダを常に受信してデータをメモリ回路２４に蓄積していくようにすれば、フロントエンド回路２１の受信している番組を見ている状態から瞬時に指定したデータ放送の受信に切り換えることができる。
【００４９】
〔この明細書で使用している略語の一覧〕
Ｄ／Ａ  ：Digital to Analog
ＥＰＧ  ：Electronic Program Guide
ＨＤＤ  ：Hard Disk Drive
ＩＤ    ：IDentification
ＭＰＥＧ：Motion Picture Image Coding Experts Group
ＯＳＤ  ：On Screen Demand
リモコン：Remote Control
【００５０】
【発明の効果】
この発明によれば、視聴者のチャンネル切り換え要求を予想してデータを蓄積しているので、トランスポンダを越えて選局を行うとき、より早く情報を更新することができる。
【００５１】
さらに、チャンネル方向のスクロールの指示をしたとき、そのスクロールの指示と、表示画面における実際のスクロールの速度とのギャップが小さくなり、より直感的にわかりやすいユーザーインターフェイスを提供することができる。
【００５２】
また、裏番組の録画やピクチャインピクチャなどを行うことのできる受信装置であれば、ソフトウェアを変更するだけで、チャンネル方向のスクロール表示やチャンネルスクロール表示を滑らかに行うことができる。
【図面の簡単な説明】
【図１】この発明の一形態を示す系統図である。
【図２】この発明の一形態を示すフローチャートである。
【図３】この発明を説明するための図である。
【図４】この発明を説明するための図である。
【図５】この発明を説明するための図である。
【図６】この発明を説明するための図である。
【図７】この発明を説明するための図である。
【図８】この発明を説明するための図である。
【符号の説明】
２０…受信装置、２１および２２…フロントエンド回路、２３…デマックス回路、２４…メモリ回路、２５…ＨＤＤ、２６…ＭＰＥＧデコーダ回路、２７Ｖおよび２７Ｓ…Ｄ／Ａコンバータ回路、３１…システム制御回路
【図１】
0004000454.tif 000002
【図２】
0004000454.tif 000003
【図３】
0004000454.tif 000004
【図４】
0004000454.tif 000005
【図５】
0004000454.tif 000006
【図６】
0004000454.tif 000007
【図７】
0004000454.tif 000008
【図８】
0004000454.tif 000009